(57)【要約】【課題】アナログ出力のスイッチが接続されていてもその異常を検出可能とし、設計自由度の向上を図ることができる故障診断装置を提供すること。【解決手段】集中スイッチユニット１に接続されたリヤコントローラ４には、投入されるスイッチに応じて入力ライン１１の電圧レベルがアナログ変化するよう接続されたアナログ出力スイッチ群を備え、ＣＰＵ１ａは、診断制御時に、アナログ出力スイッチ群７に接続された入力ライン１１の電圧レベルに応じてあらかじめ設定された点灯パターンでインジケータランプ６を点灯させるようにした。【選択図】図２
2007309821.tif 000002
【特許請求の範囲】
【請求項１】
複数のスイッチと、複数のインジケータランプと、音による報知を行う報知手段と、に接続された制御手段を備え、
この制御手段が、故障診断時に、スイッチ操作に応じ正常か否かを報知手段とインジケータランプとにより報せる診断制御を実行する故障診断装置であって、
前記複数のスイッチとして、投入されるスイッチの違いで出力レベルが異なるよう接続されたアナログ出力スイッチ群を備え、
前記制御手段は、診断制御において、アナログ出力スイッチ群の出力レベルに応じてあらかじめ設定された点灯パターンでインジケータランプを点灯させることを特徴とする故障診断装置。
【請求項２】
前記複数のスイッチとして、アナログ出力スイッチ群の他に、出力レベルがハイ・ローの２態様に変化するデジタル出力スイッチが設けられ、
前記制御手段は、診断制御時に、前記デジタル出力スイッチからの入力があったときには、前記報知手段の報知作動を行うとともに、全てのインジケータランプを点灯させることを特徴とする請求項１に記載の故障診断装置。
【請求項３】
前記アナログ出力スイッチ群は、前記制御手段に接続された１本の入力ラインと、この入力ラインから複数に並列に分岐された分岐ラインと、各分岐ラインに接続されたＯＮ／ＯＦＦ式のスイッチと、を備え、各スイッチをＯＮとしたときに前記入力ラインの電圧レベルが異なるように構成されていることを特徴とする請求項１または請求項２に記載の故障診断装置。
【発明の詳細な説明】
【技術分野】
【０００１】
本発明は、スイッチの故障の有無を診断する故障診断装置に関する。
【背景技術】
【０００２】
車両には、空調装置やオーディオ装置などの各種車載装置が設けられており、各車載装置には、その作動を制御するスイッチが設けられている。
【０００３】
また、近年、省スペース化や操作性の向上を目的として、各種車載装置を操作するスイッチを、１つのスイッチユニットに集中配置することが行われている。このような構成では、スイッチを操作した場合、スイッチユニットの制御手段から、スイッチ操作に応じた信号が、ＣＡＮ通信などにより各種車載装置を制御するコントロールユニットに送られ、各種車載装置の作動が制御される。
【０００４】
このような車載装置では、その作動に異常が生じたときに、その原因がスイッチ側にあるのか、コントロールユニット側にあるのかを調べる故障診断が行われている。
【０００５】
このスイッチ側の故障診断として、故障診断モード時に、スイッチを操作したときの信号の出力状態が正常であるか否かを診断し、その診断結果を報せるようにした故障診断装置が知られている（例えば、特許文献１参照）。
【０００６】
このような診断装置の一例として、例えば、スイッチを操作に応じた信号の変化（例えば、ＯＮからＯＦＦあるいはＯＦＦからＯＮなどの変化）が生じたときには、異常無しとしてブザーの鳴動やインジケータランプの点灯などの正常報知を行い、その信号変化が生じない場合には、正常報知の非実行、あるいはあらかじめ設定された異常報知を行うものがある。
【特許文献１】特開平８−２０１２３６号公報
【発明の開示】
【発明が解決しようとする課題】
【０００７】
上述の従来技術では、スイッチとしてＯＮ／ＯＦＦスイッチやパルス検知スイッチなどの出力がハイ・ローに変化するデジタル出力スイッチが使用されており、スイッチ操作に応じてそのスイッチからの信号の入力の有無により、そのスイッチの異常の有無を診断している。
【０００８】
しかしながら、このように信号の有無で異常判断を行う従来技術では、スイッチの操作信号として、出力レベルが多態様に変動するアナログ信号が入力される場合には、異常判断を行うことができなかった。
【０００９】
このように、従来技術にあっては、スイッチからの入力がデジタル入力に限られるものであり、設計上の制約を受けていた。
【００１０】
本発明は、上述の問題点に着目して成されたものであり、アナログ出力のスイッチが接続されていてもその異常を検出可能とし、設計自由度の向上を図ることができる故障診断装置を提供することを主たる目的としている。
【課題を解決するための手段】
【００１１】
上述の目的を達成するために請求項１に記載の発明は、複数のスイッチと、複数のインジケータランプと、音による報知を行う報知手段と、に接続された制御手段を備え、この制御手段が、故障診断時に、スイッチ操作に応じ正常か否かを報知手段とインジケータランプとにより報せる診断制御を実行する故障診断装置であって、前記複数のスイッチとして、投入されるスイッチの違いで出力レベルが異なるよう接続されたアナログ出力スイッチ群を備え、前記制御手段は、診断制御において、アナログ出力スイッチ群の出力レベルに応じてあらかじめ設定された点灯パターンでインジケータランプを点灯させることを特徴とする故障診断装置とした。
また、請求項２に記載の発明は、請求項１に記載の故障診断装置において、前記複数のスイッチとして、アナログ出力スイッチ群の他に、出力レベルがハイ・ローの２態様に変化するデジタル出力スイッチが設けられ、前記制御手段は、診断制御時に、前記デジタル出力スイッチからの入力があったときには、前記報知手段の報知作動を行うとともに、全てのインジケータランプを点灯させることを特徴とする故障診断装置とした。
また、請求項３に記載の発明は、請求項１または請求項２に記載の故障診断装置において、前記アナログ出力スイッチ群は、前記制御手段に接続された１本の入力ラインと、この入力ラインから複数に並列に分岐された分岐ラインと、各分岐ラインに接続されたＯＮ／ＯＦＦ式のスイッチと、を備え、各スイッチをＯＮとしたときに前記入力ラインの電圧レベルが異なるように構成されていることを特徴とする故障診断装置とした。
【発明の効果】
【００１２】
本発明の故障診断装置では、アナログ出力スイッチ群のスイッチの投入操作を行ったときには、制御手段には、その投入したスイッチに応じた出力レベルの信号が入力される。すなわち、アナログ出力スイッチから制御手段には、アナログ出力される。
【００１３】
そこで、診断制御時には、制御手段は、アナログ出力スイッチ群からの出力レベルに応じた点灯パターンでインジケータランプを点灯させる。
【００１４】
したがって、インジケータランプの点灯パターンにより、アナログ出力スイッチ群の出力レベルが正常な状態であるのか異常な状態であるのかを知ることができる。
【００１５】
このように、本発明では、複数のスイッチとして、アナログ出力を行うアナログ出力スイッチ群が接続されていても、故障診断を行うことが可能となり、複数のスイッチとして用いることのできるスイッチの種類が増え、設計自由度の向上を図ることができる。
【００１６】
請求項２に記載の発明では、診断制御時に、制御手段に、デジタル出力スイッチから入力があったときには、報知手段の報知作動を行うとともに、全てのインジケータランプを点灯させる。
【００１７】
したがって、デジタル出力スイッチを操作したときに、報知手段の報知作動が行われているのに、インジケータランプが全点灯しない場合には、デジタル出力スイッチが正常であるが、インジケータランプに異常があると判定することができる。また、デジタル出力スイッチを操作したときに、インジケータランプが全点灯しているのに、報知手段の報知作動が行われない場合には、デジタル出力スイッチが正常であるが、報知手段に異常があると判定することができる。
【００１８】
一方、デジタル出力スイッチを投入操作したときに、報知手段の報知作動ならびにインジケータランプの全点灯が行われない場合には、デジタル出力スイッチか、報知手段とインジケータランプとの両方か、に異常がある可能性があるが、次に、他のデジタル出力スイッチの投入操作を行って、このときに、報知手段の報知作動とインジケータランプの全点灯が行われた場合には、前回投入操作を行ったデジタル出力スイッチに異常があると判定することができる。
【００１９】
本発明では、アナログ出力スイッチ群の故障診断時にインジケータランプの点灯パターンを変化させることから、その点灯パターンが、アナログ出力スイッチ群の出力に応答したものであるか、インジケータランプの異常によるものかの判定が難しくなる。
【００２０】
そこで、請求項２に記載の発明では、デジタル出力スイッチの故障診断時にインジケータランプを全点灯させることで、インジケータランプの点灯異常診断を行うことが可能になるとともに、同時にデジタル出力スイッチの故障診断を行うことができる。
【００２１】
請求項３に記載の発明では、アナログ出力スイッチ群を１本の入力ラインで制御手段に接続したため、アナログ出力スイッチ群から制御手段へ送信を行う構成の簡略化を図ることができる。
【００２２】
したがって、複数のスイッチから制御手段への送信を行う構成を、安価に構成することができる。すなわち、複数のスイッチを制御手段から離して配置する場合、各スイッチからデジタル信号で出力する構成では、各スイッチを独立したラインで接続することから、ラインの数が多くなり、車載重量増およびコスト増を招く。また、スイッチの操作信号をラインを用いずに無線信号で送るようにすると、送受信を行う構成が必要になり、同様に車載重量増およびコスト増を招く。
【００２３】
それに対して、請求項３に記載の発明では、制御手段には１本の入力ラインで複数のスイッチを接続することから、車載重量減およびコスト減が可能となる。
【発明を実施するための最良の形態】
【００２４】
以下、本発明の実施の形態を図面に基づいて説明する。
実施の形態の故障診断装置は、複数のスイッチ（５１〜５４，７１〜７７）と、複数のインジケータランプ（６）と、音による報知を行う報知手段（１ｅ）と、に接続された制御手段（１ａ）を備え、この制御手段（１ａ）が、故障診断時に、スイッチ操作に応じ正常か否かを報知手段（１ｅ）とインジケータランプ（６）とにより報せる診断制御を実行する故障診断装置であって、前記複数のスイッチとして、投入されるスイッチの違いで出力レベルが異なるよう接続されたアナログ出力スイッチ群（７）を備え、前記制御手段（１ａ）は、診断制御において、アナログ出力スイッチ群（７）の出力レベルに応じてあらかじめ設定された点灯パターンでインジケータランプ（６）を点灯させることを特徴とする故障診断装置である。
【実施例１】
【００２５】
以下に、図１〜図５に基づいて、この発明の最良の実施の形態の実施例１の故障診断装置について説明する。
【００２６】
この故障診断装置は、車載の集中スイッチユニット１に適用されている。
この集中スイッチユニット１は、例えば、空調装置やオーディオ装置などの図外の車載装置の作動を操作するものであり、図１に示すように、メインコントロールユニット２にＣＡＮ通信網３で接続されている。
【００２７】
このメインコントロールユニット２は、空調装置やオーディオ装置などの図外の車載装置の作動を制御する。すなわち、集中スイッチユニット１に設けられた後述する各スイッチ５１〜５４および後述するリヤコントローラ４の各スイッチ７１〜７７のスイッチ操作に応じた操作信号がＣＡＮ通信網３を介してメインコントロールユニット２に伝達され、メインコントロールユニット２は、この操作信号や図外の各種センサなどからの信号に基づいて前記車載装置の作動を制御する。
【００２８】
集中スイッチユニット１には、リヤコントローラ４が接続されている。すなわち、集中スイッチユニット１は、図外の車両の運転席や助手席などの前席から操作可能に、図外のインストルメントパネルに配置されている。一方、リヤコントローラ４は、図外の後席から操作可能に、図示を省略した後席用のセンタコンソールボックスあるいはルーフに設けられている。
【００２９】
次に、図２に基づいて、集中スイッチユニット１およびリヤコントローラ４について説明する。
【００３０】
集中スイッチユニット１は、制御手段としてのＣＰＵ（Central Processing Unit）１ａ，電源サーキット１ｂ、入力インタフェース１ｃ、ブザーサーキット１ｄ、ブザー（報知手段）１ｅ、インジケータサーキット１ｆ、夜間用サーキット１ｇ、ＣＡＮ通信サーキット１ｈ、センタスイッチ群５を備えている。
【００３１】
センタスイッチ群５は、前述のように図外のインストルメントパネルに集中して配置されたデジタル出力スイッチとしての第１スイッチ５１、第２スイッチ５２、第３スイッチ５３、第４スイッチ５４を備えている。
【００３２】
このセンタスイッチ群５の各スイッチ５１〜５４は、それぞれ独立したラインでＣＰＵ１ａに接続されており、各スイッチ５１〜５４の操作は、出力レベルがハイ・ローの２態様に変化するデジタル信号としてＣＰＵ１ａに出力される。なお、各スイッチ５１〜５４としては、ＯＮ／ＯＦＦ式のスイッチの他にも、エンコーダ式のスイッチが含まれる。また、ＯＮ／ＯＦＦ式のスイッチとして、複数の接点を備えたマトリックススイッチが含まれる。
【００３３】
なお、各スイッチ５１〜５４からの出力は、ＣＰＵ１ａからＣＡＮ通信サーキット１ｈを介してＣＡＮ通信網３に出力される。
【００３４】
さらに、ＣＰＵ１ａは、ブザーサーキット１ｄへの出力に応じてブザー１ｅを鳴動させ、入力インタフェース１ｃにより、図外のイルミネーションの照度を調節し、インジケータサーキット１ｆおよび夜間用サーキット１ｇへの出力によりインジケータランプ６の点灯を制御する。
【００３５】
なお、ＣＰＵ１ａは、電源サーキット１ｂを介してアクセサリスイッチＡＣＣに接続されており、本実施例１では、５Ｖの電源が供給されて駆動する。
【００３６】
また、ＣＰＵ１ａは、リヤコントローラ４に対して１本の入力ライン１１と４本の出力ライン１２，１２，１２，１２とで接続されている。
【００３７】
リヤコントローラ４には、図外の空調装置やオーディオ装置を操作する複数のスイッチから成るアナログ出力スイッチ群７が設けられている。このアナログ出力スイッチ群７は、図３に示すように、入力ライン１１に並列に接続されている。
すなわち、入力ライン１１は、図３に示すように、リヤコントローラ４内において、複数に並列に分岐されて分岐ライン７ａ，７ｂ，７ｃ，７ｄ，７ｅ，７ｆ，７ｇ，７ｑが形成されている。そして、分岐ライン７ｑを除く分岐ライン７ａ，７ｂ，７ｃ，７ｄ，７ｅ，７ｆ，７ｇのそれぞれに、ＯＮ／ＯＦＦ式の第１スイッチ７１，第２スイッチ７２，第３スイッチ７３，第４スイッチ７４，第５スイッチ７５，第６スイッチ７６，第７スイッチ７７が接続されている。
【００３８】
さらに、入力ライン１１には、各スイッチ７１〜７７を閉じたときの抵抗値が異なるように、抵抗体７ｈ，７ｊ，７ｋ，７ｍ，７ｎ，７ｐ，７ｒが設けられている。
【００３９】
これにより、アナログ出力スイッチ群７では、各スイッチ７１〜７７を閉じたときの出力レベル、すなわちＣＰＵ１ａにおける入力ライン１１の電圧レベルが異なるように構成されている。
【００４０】
図４には、アナログ出力スイッチ群７において各スイッチ７１〜７７を閉じたときの入力ライン１１における電圧レベルが示されている。この図において、左端の縦列が各スイッチ７１〜７７のうちで閉じたスイッチを示し、左から３番目の縦列が入力ライン１１における電圧レベルを示している。例えば、第１スイッチ７１を閉じた場合、入力ライン１１における電圧レベル（すなわち、アナログ出力スイッチ群７の出力レベル）が、１．３３Ｖ〜１．４３Ｖとなるように設定されている。同様に、第２スイッチ７２を閉じた場合には、１．８２Ｖ〜１．９３Ｖとなるように設定されている。なお、「閉じなし」と表示しているのは、各スイッチ７１〜７７のいずれも閉じていない場合である。また、「リヤコントローラの接続無し」と記載しているのは、入力ライン１１の電圧レベルが、リヤコントローラ７の接続が無いのに等しいレベルである場合である。
【００４１】
また、各スイッチ７１〜７７を閉じたときの設定電圧範囲どうしの間には、「ＵＮＫＮＯＷＮ」と表示した範囲の誤差を許容する領域が設定されている。
【００４２】
さらに、電圧（Ｖ）と示されている縦列の右隣の「ＬＳＢ」と表示した縦列は、入力ライン１１の電圧レベルに対応するビット数を示しており、ＣＰＵ１ａでは、入力ライン１１の電圧レベルを、このビット数として認識するよう構成されている。
【００４３】
なお、「優先順位」と表示した縦列は、アナログ出力スイッチ群７の各スイッチ７１〜７７を同時に押した（閉じた）場合の優先順位を示している。
【００４４】
次に、図２に示すインジケータランプ６について説明すると、このインジケータランプ６は、図外の空調装置に設けられており、点灯することで、空調装置の作動モードを表示するもので、図４の上端の行に示すように、第１ランプ６１，第２ランプ６２，第３ランプ６３，第４ランプ６４，第５ランプ６５，第６ランプ６６の、６個のランプを備えている。
【００４５】
次に、ＣＰＵ１ａが行う診断制御について説明する。
この診断制御は、センタスイッチ群５、アナログ出力スイッチ群７、インジケータランプ６、ブザー１ｅの異常の有無を診断するもので、この診断制御の流れを、図５のフローチャートにより説明する。
なお、このフローチャートに示される処理は、図外のイグニッションスイッチを投入してから所定時間以内に実行される。
【００４６】
ステップＳ１では、診断モード移行条件、すなわち診断制御の開始条件が成立したか否か判断し、条件非成立時には、診断制御から離れて通常制御へ進み、条件成立時には、ステップＳ２以降の、診断制御を実行する。
【００４７】
ここで、診断モード移行条件成立とは、図外のイグニッションスイッチを投入してから所定時間以内に、センタスイッチ群５の各スイッチ５１〜５４のうちのあらかじめ設定された２つが同時に所定時間を越えて閉じられることとする。
【００４８】
ステップＳ２では、ブザー１ｅを鳴動させ、かつ、インジケータランプ６を、入力ライン１１の電圧レベルに応じた点灯パターンで点灯させる。
このインジケータランプ６の点灯パターンは、図４において、各ランプ６１〜６６の消灯を「Ｌ」で点灯を「Ｈ」で示しており、本実施例１では、図示のように入力ライン１１の電圧レベルに応じて１９種類の点灯パターンが設定されている。例えば、第１スイッチ７１を閉じた場合に相当する電圧レベルでは、第２ランプ６２のみが点灯され、他のランプ６１，６３，６４，６５，６６が消灯される。
【００４９】
ステップＳ３では、ステップＳ２で行ったブザー１ｅの鳴動を停止させる。なお、このように診断モードに移行したことに応じてブザー１ｅが鳴動される時間は、本実施例１では、５００ｍｓｅｃに設定されている。
【００５０】
ステップＳ４では、スイッチ操作が検知されたか否かを判断し、スイッチ操作検知の場合はステップＳ７に進み、スイッチ操作非検知の場合はステップＳ５進む。なお、スイッチ操作は、センタスイッチ群５の操作は、これらのデジタル信号の入力により判定され、また、アナログ出力スイッチ群７の操作は、入力ライン１１の電圧レベルに相当するビット数信号の入力で判定される。
【００５１】
ステップＳ５では、ブザー１ｅをＯＦＦ、すなわち鳴動停止状態とし、続くステップＳ６において、インジケータランプ６を、入力ライン１１の電圧レベルに応じた点灯パターンで点灯させる。
【００５２】
ステップＳ７では、センタスイッチ群５のスイッチ５１〜５４がＯＮされたか否か判断し、これらスイッチ５１〜５４のいずれかがＯＮされた場合には、ステップＳ８に進んで、ブザー１ｅを鳴動させるとともに、インジケータランプ６を全点灯させる。ここで、全点灯とは、インジケータランプ６の第１〜第６ランプ６１〜６６の全てを点灯させることをいう。
【００５３】
一方、ステップＳ７において、センタスイッチ群５のスイッチのＯＮと判定されない場合には、ステップＳ９に進んで、入力ライン１１の電圧レベル値に応じた点灯パターンでインジケータランプ６を点灯させ、さらに、続くステップＳ１０において、ブザー１ｅを鳴動させる。
【００５４】
また、ステップＳ６，Ｓ８，Ｓ１０のいずれかの処理を行ったら、ステップＳ４に戻るループ処理を実行する。このループ処理の終了は、図外のイグニッションスイッチのＯＦＦで成される。
【００５５】
次に、実施例１の作用を説明する。
この作用を説明するにあたり、全てのスイッチ５１〜５４，７１〜７７が正常な場合、センタスイッチ群５のスイッチ５１〜５４のいずれかに異常が生じた場合、アナログ出力スイッチ群７のスイッチ７１〜７７のいずれかに異常が生じた場合、についてそれぞれ説明する。
イ）正常時
診断制御実行時には、まず、ステップＳ１→Ｓ２→Ｓ３の処理に基づいてブザー１ｅが５００ｍｓｅｃの一瞬だけ鳴動し、診断制御の実行を開始したことを知ることができる。同時に、ステップＳ２の処理に基づいて、インジケータランプ６が入力ライン１１の電圧レベルに応じた点灯パターンで点灯されるが、アナログ出力スイッチ群７が正常であって、かつこの時点で、アナログ出力スイッチ群７のＯＮ操作が成されていない場合には、インジケータランプ６の点灯パターンは、全消灯に設定されているから（図４参照）、この正常時には、インジケータランプ６の点灯は成されない。
【００５６】
そして、この故障診断時には、全てのスイッチ５１〜５４，７１〜７７について１つずつ順にＯＮとする。
【００５７】
ここで、まず、センタスイッチ群５からＯＮとする操作を行った場合、ステップＳ３→Ｓ７→Ｓ８の処理に基づいて、スイッチ５１〜５４をＯＮするたびに、ブザー１ｅが鳴動されるとともに、インジケータランプ６が全点灯される。
【００５８】
このブザー１ｅの鳴動により、ＯＮ操作したスイッチ５１〜５４が正常であることを知ることができる。また、このときに、インジケータランプ６が全点灯されることで、第１〜第６ランプ６１〜６６が正常であることを知ることができる。
【００５９】
なお、第１〜第６ランプ６１〜６６のいずれかに異常がある場合には、その異常があるランプは消灯状態となって、インジケータランプ６が全点灯とならない。
【００６０】
このように、センタスイッチ群５についてＯＮ操作を行ったときに、インジケータランプ６が全点灯とならない場合には、非点灯のランプ（６１〜６６のいずれか）に異常があることを知ることができる。
【００６１】
次に、アナログ出力スイッチ群７の各スイッチ７１〜７７のＯＮ操作を順に行う。
この場合、ステップＳ３→Ｓ７→Ｓ９→Ｓ１０の流れに基づいて、入力ライン１１の電圧レベルに応じた点灯パターンでインジケータランプ６が点灯される。
【００６２】
例えば、第１スイッチ７１をＯＮ操作した場合、図４に示すように、入力ライン１１の電圧レベルは、１．３３Ｖ〜１．４３Ｖの範囲内であり、この電圧レベルでは、インジケータランプ６は、第２ランプ６２のみが点灯して、他が消灯した点灯パターンとなる。また、第２スイッチ７２をＯＮ操作した場合には、入力ライン１１の電圧レベルが、１．８２Ｖ〜１．９３Ｖの範囲内となり、この電圧レベルでは、インジケータランプ６は、第３ランプ６３，第４ランプ６４，第５ランプ６５が点灯され、他が消灯された点灯パターンとなる。
【００６３】
このように、インジケータランプ６が、ＯＮ操作した各スイッチ７１〜７７に対応した点灯パターンで点灯することで、アナログ出力スイッチ群７が正常であることを知ることができる。
【００６４】
ロ）センタスイッチ群５のいずれかのスイッチ５１〜５４の故障時
一方、センタスイッチ群５のいずれかのスイッチ５１〜５４に異常が生じた場合、そのスイッチのＯＮ操作を行った際に、ＣＰＵ１ａがＯＮ操作を認識しないことから、ステップＳ３→Ｓ４→Ｓ５→Ｓ６の流れに基づいて、ブザー１ｅの鳴動が成されないとともに、インジケータランプ６は、正常時のように全点灯されずに入力ライン１１の電圧レベルに応じて点灯パターンで点灯される。なお、この場合、インジケータランプ６は、アナログ出力スイッチ群７に異常がない場合には、全消灯される。
【００６５】
このように、センタスイッチ群５のスイッチ５１〜５４のいずれかに異常がある場合には、ＯＮ操作しても、ブザー１ｅの鳴動が成されないとともに、インジケータランプ６が全点灯されない。これにより、ＯＮ操作したスイッチに異常があることを知ることができる。
【００６６】
ハ）アナログ出力スイッチ群７のスイッチ７１〜７７のいずれかが故障時
アナログ出力スイッチ群７のスイッチ７１〜７７のいずれかをＯＮ操作したときには、前述したようにステップＳ３→Ｓ７→Ｓ９→Ｓ１０の流れに基づいて、インジケータランプ６が入力ライン１１の電圧レベルに応じた点灯パターンで点灯される。しかし、アナログ出力スイッチ群７のスイッチ７１〜７７のいずれかに異常が生じた場合には、インジケータランプ６の点灯パターンが、正常時の点灯パターンとは異なり、本来点灯されるはずの点灯パターンとは異なるパターンで点灯される。
【００６７】
例えば、第１スイッチ７１をＯＮ操作した場合、正常ならば第２ランプ６２のみが点灯されるが、第１スイッチ７１や分岐ライン７ａや入力ライン１１に異常がある場合、電圧レベルが正規の範囲（１．３３Ｖ〜１．４３Ｖ）とは異なることから、これとは異なる点灯パターンとなる。
【００６８】
このように、インジケータランプ６の点灯パターンが正常時の点灯パターンと異なることから、アナログ出力スイッチ群７のスイッチ７１〜７７のいずれかに異常があることを知ることができる。
【００６９】
以上説明したように、本実施例１では以下に列挙する効果を有する。
ａ）リヤコントローラ４のアナログ出力スイッチ群７の各スイッチ７１〜７７を、１本の入力ライン１１で集中スイッチユニット１と接続し、各スイッチ７１〜７７の操作状態を電圧レベルで判断できる構成としたため、デジタル出力のスイッチをそれぞれ単独のラインで接続する構成や、無線で出力する構成と比較して、構成の簡略化を図って、車載重量および製造コストを低く抑えることができる。
【００７０】
ｂ）上記ａ）のように、アナログ出力スイッチ群７の出力をアナログ出力としながらも、故障診断時には、アナログ出力スイッチ群７に接続された入力ライン１１の電圧レベルに応じた点灯パターンでインジケータランプ６を点灯させるようにしたため、アナログ出力スイッチ群７の異常有無の判定、および、その判定結果の表示が可能とする故障診断装置を提供できる。これにより、スイッチの接続形態の制約が従来よりも少なくなり、設計自由度の向上を図ることができる。
【００７１】
ｃ）デジタル式のセンタスイッチ群５の故障判定結果をブザー１ｅで報せる際に、インジケータランプ６を全点灯させるようにしたため、この時点でインジケータランプ６が全点灯するか否かにより、インジケータランプ６の故障の有無を判定することができる。
【００７２】
つまり、実施例１では、アナログ出力スイッチ群７の故障診断結果をインジケータランプ６の点灯パターンで表示するようにしたため、その点灯パターンが、アナログ出力スイッチ群７の故障に応じて形成されたのか、インジケータランプ６の異常で形成されたのかの判定がつかないおそれがある。そこで、本実施例１では、センタスイッチ群５のスイッチ操作に応答してインジケータランプ６を全点灯させることで、センタスイッチ群５の故障診断時に、同時にインジケータランプ６の異常診断を行うことができる。
【００７３】
ｄ）本実施例１では、故障診断モードへの移行（診断制御開始）時に、入力ライン１１の電圧レベルに応じてインジケータランプ６を点灯させるようにした。この場合、アナログ出力スイッチ群７に異常がない場合には、インジケータランプ６は全消灯されるが、短絡あるいはＡ／Ｄ変換異常の場合には、インジケータランプ６が全点灯される。
【００７４】
したがって、入力ライン１１の短絡やあるいはＡ／Ｄ変換異常の場合には、アナログ出力スイッチ群７の操作を行うこと無しに、故障制御に入った時点で、故障を報せることができる。
【００７５】
以上、図面を参照して、本発明の実施例１を詳述してきたが、具体的な構成は、実施例１に限らず、本発明の要旨を逸脱しない程度の設計的変更は、本発明に含まれる。
【００７６】
すなわち、実施例１では、本発明を集中スイッチユニット１に適用した例を示したが、アナログ出力が成される複数のスイッチからなるアナログ出力スイッチ群７を有したものであれば、集中スイッチ以外の構成にも適用することができる。
【００７７】
また、実施例１では、集中スイッチユニット１により作動を操作する車載装置として、空調装置およびオーディオ装置を例に挙げたが、これ以外の車載装置の操作にも適用することができる。
【００７８】
また、実施例１では、電圧レベルと点灯パターンとの関係の一例を図４に示したが、このアナログ出力スイッチ群７の出力レベルと点灯パターンとの関係は、この図示の例に限定されるものではなく、使用する電圧の規格や、スイッチの数、インジケータランプの数などにより適宜設定すればよい。
【００７９】
また、実施例１では、インジケータランプ６の異常の有無を診断するための全点灯を、デジタル出力スイッチ（センタスイッチ群５のスイッチ５１〜５４）がＯＮされたときに行うようにしたが、これに限定されるものではなく、例えば、診断制御に移行した時点で全点灯させるようにしてもよい。
【００８０】
また、実施例１では、報知手段としてブザー１ｅを示したが、報知手段は、チャイムや音声などのブザー以外の音により報知を行う手段を用いてもよい。
【図面の簡単な説明】
【００８１】
【図１】本発明の実施の形態１の故障診断装置を適用した集中スイッチユニットを含む構成を示すブロック図である。
【図２】本発明の実施の形態１の故障診断装置を適用した集中スイッチユニット１の構成を示すブロック図である。
【図３】本発明の実施の形態１の故障診断装置を適用した集中スイッチユニット１の要部の構成を示す回路図である。
【図４】本発明の実施の形態１の故障診断装置を適用した集中スイッチユニット１における入力ライン１１の電圧レベルおよびその電圧レベルに対応した点灯パターンを示す特性図である。
【図５】本発明の実施の形態１の故障診断装置を適用した集中スイッチユニット１の診断制御時の処理の流れを示すフローチャートである。
【符号の説明】
【００８２】
１     集中スイッチユニット
１ａ    ＣＰＵ（制御手段）
１ｅ   ブザー
５     センタスイッチ群
５１   第１スイッチ（デジタル出力スイッチ）
５２   第２スイッチ（デジタル出力スイッチ）
５３   第３スイッチ（デジタル出力スイッチ）
５４   第４スイッチ（デジタル出力スイッチ）
６     インジケータランプ
６１   第１ランプ
６２   第２ランプ
６３   第３ランプ
６４   第４ランプ
６５   第５ランプ
６６   第６ランプ
７     アナログ出力スイッチ群
７ａ   分岐ライン
７ｂ   分岐ライン
７ｃ   分岐ライン
７ｄ   分岐ライン
７ｅ   分岐ライン
７ｆ   分岐ライン
７ｇ   分岐ライン
７１   第１スイッチ
７２   第２スイッチ
７３   第３スイッチ
７４   第４スイッチ
７５   第５スイッチ
７６   第６スイッチ
７７   第７スイッチ
１１   入力ライン
【図１】
2007309821.tif 000003
【図２】
2007309821.tif 000004
【図３】
2007309821.tif 000005
【図４】
2007309821.tif 000006
【図５】
2007309821.tif 000007